【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
ビュー間またはレイヤ間ビデオ復号の方法であって、前記方法は、
候補動きベクトル予測子のリストを構成することと、
候補動きベクトル予測子の前記リストから動きベクトル予測子を選択するための、候補動きベクトル予測子の前記リストへのインデックスを含む情報と、現在のブロックについての動きベクトルを前記選択された動きベクトル予測子から導出するための情報とを含むビットストリームを受信することと、ここにおいて、前記動きベクトルは、ビュー間またはレイヤ間参照ピクチャにおけるブロックを指し、ここにおいて、前記導出された動きベクトルが動きベクトル制限に準拠することを前記情報が確実にするように、前記ビットストリームは制約され、ここにおいて、前記動きベクトル制限は、前記ビュー間またはレイヤ間参照ピクチャのサブ部分を指すように前記動きベクトルの範囲を制限する、
前記ビットストリーム中の前記情報に基づいて、前記現在のブロックについての前記動きベクトルを導出することと、
前記導出された動きベクトルによって指される前記ブロックのピクセル値に基づいて、前記現在のブロックをビュー間またはレイヤ間予測復号することと
を備える方法。
【請求項２】
その値が、動きベクトル差分が前記動きベクトル予測子に加算されたときに、得られる動きベクトルが前記動きベクトル制限に準拠するようなものである前記動きベクトル差分を、前記受信されたビットストリームから決定することと
をさらに備え、
前記動きベクトルを導出することは、前記動きベクトル予測子と前記動きベクトル差分とを加算することを備える、請求項１に記載の方法。
【請求項３】
ブロックサイズのユニットにおける前記動きベクトル制限の垂直動きベクトル範囲を、前記受信されたビットストリームから決定することと、
前記垂直動きベクトル範囲に基づいて、前記ビュー間またはレイヤ間参照ピクチャと前記現在のブロックを含む現在のピクチャとを並列復号することと
をさらに備える、請求項１に記載の方法。
【請求項４】
ビュー間またはレイヤ間ビデオ符号化の方法であって、
候補動きベクトル予測子のリストを構成することと、
候補動きベクトル予測子の前記リストから動きベクトル予測子を選択することと、
導出された動きベクトルが動きベクトル制限に準拠するように、現在のブロックについての動きベクトルを前記動きベクトル予測子から導出するために使用される情報を決定することと、ここにおいて、前記導出された動きベクトルは、ビュー間またはレイヤ間参照ピクチャにおけるブロックを指し、ここにおいて、前記動きベクトル制限は、前記ビュー間またはレイヤ間参照ピクチャのサブ部分を指すように前記動きベクトルの範囲を制限し、前記情報は、候補動きベクトル予測子の前記リストへのインデックスを含む、
前記情報に基づいて、前記現在のブロックについての前記動きベクトルを導出することと、
前記導出された動きベクトルによって指される前記ブロックのピクセル値に基づいて、前記現在のブロックをビュー間またはレイヤ間予測符号化することと、
前記動きベクトルを導出するための前記決定された情報を出力用に生成することと
を備える方法。
【請求項５】
前記情報は、シンタックス要素を含む、請求項１または４に記載の方法。
【請求項６】
情報を決定することは、
前記動きベクトル差分が前記動きベクトル予測子に加算されたときに、得られる動きベクトルが前記動きベクトル制限に準拠するように、前記動きベクトル差分を決定すること
をさらに備える、請求項４に記載の方法。
【請求項７】
情報を決定することは、参照ピクチャリスト中のピクチャについての動きベクトル差分が０ではないことをフラグの値が常に示すことを決定することをさらに備え、前記情報は、前記フラグの前記値を含む、請求項４に記載の方法。
【請求項８】
前記動きベクトルが前記レイヤ間参照ピクチャを指すときに、前記動きベクトル制限は、前記導出された動きベクトルが０に等しくなるべきであることを示す、請求項４に記載の方法。
【請求項９】
ブロックサイズのユニットにおける前記動きベクトル制限の垂直動きベクトル範囲を出力用に生成すること
をさらに備える、請求項４に記載の方法。
【請求項１０】
ブロックサイズの前記ユニットは、最大コーディングユニットの高さおよび最小コーディングユニットの高さのユニットの１つを備える、請求項９に記載の方法。
【請求項１１】
前記ビュー間またはレイヤ間参照ピクチャは、第１のビュー間またはレイヤ間参照ピクチャを含み、前記方法は、
前記現在のブロックによってビュー間またはレイヤ間参照に使用され得ない、前記第１のビュー間またはレイヤ間参照ピクチャを含む任意のビュー間または任意のレイヤ間参照ピクチャ中の利用不可能な参照エリアを決定することと、
ここにおいて、前記動きベクトルを導出することは、前記現在のブロックについての前記動きベクトルを、前記動きベクトルが任意のビュー間またはレイヤ間参照ピクチャ中の前記利用不可能な参照エリアを指さないように、前記決定された利用不可能なエリアに基づいて導出することを備え、
前記利用不可能な参照エリアを示す情報を出力用に生成することと
をさらに備える、請求項４に記載の方法。
【請求項１２】
前記利用不可能な参照エリアを示す情報を出力用に生成することは、ラスタ走査順序で前記利用不可能な参照エリアを示す情報を出力用に生成することを備える、請求項１１に記載の方法。
【請求項１３】
実行されたときに、ビデオデータをコーディングするためのデバイスの１つまたは複数のプロセッサに、前出の請求項のいずれか一項に記載の方法を実行させる、命令を記憶したコンピュータ可読記憶媒体。
【請求項１４】
候補動きベクトル予測子のリストを構成するための手段と、
候補動きベクトル予測子の前記リストから動きベクトル予測子を選択するための手段と、
導出された動きベクトルが動きベクトル制限に準拠するように、現在のブロックについての動きベクトルを前記動きベクトル予測子から導出するために使用される情報を決定するための手段と、ここにおいて、前記導出された動きベクトルは、ビュー間またはレイヤ間参照ピクチャにおけるブロックを指し、ここにおいて、前記動きベクトル制限は、前記ビュー間またはレイヤ間参照ピクチャのサブ部分を指すように前記動きベクトルの範囲を制限し、前記情報は、候補動きベクトル予測子の前記リストへのインデックスを含む、
前記情報に基づいて、前記現在のブロックについての前記動きベクトルを導出するための手段と、
前記導出された動きベクトルによって指される前記ブロックのピクセル値に基づいて、前記現在のブロックをビュー間またはレイヤ間予測符号化するための手段と、
前記動きベクトルを導出するための前記決定された情報を出力用に生成するための手段と
を備えるデバイス。
【請求項１５】
候補動きベクトル予測子のリストを構成するための手段と、
候補動きベクトル予測子の前記リストから動きベクトル予測子を選択するための、候補動きベクトル予測子の前記リストへのインデックスを含む情報と、現在のブロックについての動きベクトルを前記選択された動きベクトル予測子から導出するための情報とを含むビットストリームを受信するための手段と、ここにおいて、前記動きベクトルは、ビュー間またはレイヤ間参照ピクチャにおけるブロックを指し、ここにおいて、前記導出された動きベクトルが動きベクトル制限に準拠することを前記情報が確実にするように、前記ビットストリームは制約され、ここにおいて、前記動きベクトル制限は、前記ビュー間またはレイヤ間参照ピクチャのサブ部分を指すように前記動きベクトルの範囲を制限する、
前記ビットストリーム中の前記情報に基づいて、前記現在のブロックについての前記動きベクトルを導出するための手段と、
前記導出された動きベクトルによって指される前記ブロックのピクセル値に基づいて、前記現在のブロックをビュー間またはレイヤ間予測復号するための手段と
を備えるデバイス。